【手続補正書】
【提出日】令和3年10月13日(2021.10.13)
【手続補正１】
【補正対象書類名】明細書
【補正対象項目名】００１７
【補正方法】変更
【補正の内容】
【００１７】
第1の態様に関連して、第1の態様のいくつかの可能な実現形態において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正２】
【補正対象書類名】明細書
【補正対象項目名】００３１
【補正方法】変更
【補正の内容】
【００３１】
第2の態様に関連して、第2の態様のいくつかの可能な実現形態において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正３】
【補正対象書類名】明細書
【補正対象項目名】００６４
【補正方法】変更
【補正の内容】
【００６４】
図4に示すように、第1の指示情報は、非動的リソースの任意の位置で前記1つのアップリンクデータブロックの初回の伝送が開始可能であることを指示することに用いられ、このとき、前記第1の指示情報は1であってもよく、すなわち、前記第1の指示情報が0である場合、非動的リソースの任意の位置で前記1つのアップリンクデータブロックの初回の伝送が開始不能であることを示すように設定してもよい。図4において、1つの周期内のGrant freeリソースはTTI0、TTI1、TTI4及びTTI5を含んでもよく、この場合、前記端末装置は上記リソースにおける任意の位置でアップリンクデータブロックの初回の伝送を開始することができる。
【手続補正４】
【補正対象書類名】明細書
【補正対象項目名】００７５
【補正方法】変更
【補正の内容】
【００７５】
実施例1と類似するように、前記1つのアップリンクデータブロックの伝送の終了位置を指示するための情報、即ち第2の指示情報は、前記1つのアップリンクデータブロックの伝送の終了位置が非動的リソースにおける任意の位置であるかどうかを指示することに用いられてもよい。例えば、前記第2の指示情報は1ビットであってもよく、該第2の指示情報が1である場合、1つのアップリンクデータブロックの伝送の終了位置が非動的リソースの任意の位置であってもよいことを示し、第2の指示情報が0である場合、1つのアップリンクデータブロックの伝送の終了位置が非動的リソースの任意の位置であってはならないことを示すように設定してもよく、この場合、該アップリンクデータブロックの伝送の終了位置はプロトコルで約束された特定の位置、例えば、Grant freeリソースの1つの周期内の最後のTTI、又はネットワーク装置が予め設定した特定の位置であってもよい。具体的な実現過程については、実施例1における関連説明を参照することができるので、説明を簡略化するために、ここでは繰り返して説明しない。
【手続補正５】
【補正対象書類名】明細書
【補正対象項目名】００７８
【補正方法】変更
【補正の内容】
【００７８】
例えば、ネットワーク装置は、端末装置が1回の伝送機会で4つのTTIを占有し、2回の伝送機会の伝送間隔が7つのTTIであるように設定し、即ち、Grant freeリソースの周期は7つのTTIであり、各周期内のGrant freeリソースは4つのTTIを占有する。図7に示すように、1つの周期内のGrant freeリソースはTTI0〜TTI3の合計4つのTTIを占有し、該実施例3において、ネットワーク装置は、アップリンクデータブロックの伝送の終了位置、例えば、各Grant freeリソース周期内の最後の伝送機会、例えばTTI3又はTTI10等を設定することができ、この場合、前記第2の指示情報は0001であり、TTI(7*n+3)がアップリンクデータブロックの伝送の終了位置であることを指示することに用いられてもよく、nは負でない整数であり、TTI(7*n+3)はTTI3、TTI10等であってもよく、又は、第2の指示情報は0であり、アップリンクデータブロックの伝送の終了位置が特定の位置であることを指示してもよい(ここでの特定の位置は、1つのGrant freeリソース周期内の最後のTTIであってもよい)。該実施例において、アップリンクデータブロックの伝送の開始位置は限定されず、TTI0であってもよく、又はTTI1等であってもよい。
【手続補正６】
【補正対象書類名】明細書
【補正対象項目名】００８２
【補正方法】変更
【補正の内容】
【００８２】
実施例4
前記アップリンクデータブロックの参照信号の情報は、少なくとも1つのルートシーケンスの情報、及び少なくとも1つのサイクリックシフトシーケンスの情報を含む。
【手続補正７】
【補正対象書類名】明細書
【補正対象項目名】００９３
【補正方法】変更
【補正の内容】
【００９３】
選択肢として、いくつかの実施例において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正８】
【補正対象書類名】明細書
【補正対象項目名】０１０９
【補正方法】変更
【補正の内容】
【０１０９】
選択肢として、いくつかの実施例において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正９】
【補正対象書類名】明細書
【補正対象項目名】０１２２
【補正方法】変更
【補正の内容】
【０１２２】
選択肢として、いくつかの実施例において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正１０】
【補正対象書類名】明細書
【補正対象項目名】０１３７
【補正方法】変更
【補正の内容】
【０１３７】
選択肢として、いくつかの実施例において、前記1つのアップリンクデータブロックの伝送の開始位置を指示するための情報は、複数の非動的リソース設定が共有するものであり、或いは、1つの非動的リソース設定に対するものであり、又は、
前記1つのアップリンクデータブロックの伝送の終了位置を指示するための情報は、複数の非動的リソース設定が共有するものであり、或いは、1つの非動的リソース設定に対するものであり、又は、
前記1つのアップリンクデータブロックの伝送の参照信号を設定するための情報は、複数の非動的リソース設定が共有するものであり、或いは、1つの非動的リソース設定に対するものである。
【手続補正１１】
【補正対象書類名】特許請求の範囲
【補正対象項目名】全文
【補正方法】変更
【補正の内容】
【特許請求の範囲】
【請求項１】
ネットワーク装置は端末装置に設定情報を送信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記ネットワーク装置は前記設定情報に基づいて、前記端末装置が送信したアップリンクデータブロックを受信することと、を含むことを特徴とするデータを伝送する方法。
【請求項２】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項1に記載の方法。
【請求項３】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項1に記載の方法。
【請求項４】
前記アップリンクデータブロックの伝送の終了位置は、非動的リソースの周期内での最後の伝送機会であることを特徴とする請求項1〜3のいずれか1項に記載の方法。
【請求項５】
前記非動的スケジューリングは、動的スケジューリング以外の他のスケジューリング方式であることを特徴とする請求項2又は3に記載の方法。
【請求項６】
前記非動的スケジューリングは、半静的設定の伝送方式、半静的設定と動的トリガーの伝送方式を含むことを特徴とする請求項2、3、又は5に記載の方法。
【請求項７】
端末装置はネットワーク装置が送信した設定情報を受信し、前記設定情報は、
1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含むことと、
前記端末装置は前記設定情報に基づいて、前記ネットワーク装置にアップリンクデータを送信することと、を含むことを特徴とするデータを伝送する方法。
【請求項８】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項7に記載の方法。
【請求項９】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項7に記載の方法。
【請求項１０】
前記アップリンクデータブロックの伝送の終了位置は、非動的リソースの周期内での最後の伝送機会であることを特徴とする請求項7〜9のいずれか1項に記載の方法。
【請求項１１】
前記非動的スケジューリングは、動的スケジューリング以外の他のスケジューリング方式であることを特徴とする請求項8又は9に記載の方法。
【請求項１２】
前記非動的スケジューリングは、半静的設定の伝送方式、半静的設定と動的トリガーの伝送方式を含むことを特徴とする請求項8、9又は11に記載の方法。
【請求項１３】
端末装置に設定情報を送信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む送信モジュールと、
前記設定情報に基づいて、前記端末装置が送信したアップリンクデータブロックを受信することに用いられる受信モジュールと、を備えることを特徴とするデータを伝送する装置。
【請求項１４】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項13に記載の装置。
【請求項１５】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項13に記載の装置。
【請求項１６】
前記アップリンクデータブロックの伝送の終了位置は、非動的リソースの周期内での最後の伝送機会であることを特徴とする請求項13〜15のいずれか1項に記載の装置。
【請求項１７】
前記非動的スケジューリングは、動的スケジューリング以外の他のスケジューリング方式であることを特徴とする請求項14又は15に記載の装置。
【請求項１８】
前記非動的スケジューリングは、半静的設定の伝送方式、半静的設定と動的トリガーの伝送方式を含むことを特徴とする請求項14、15又は17に記載の装置。
【請求項１９】
ネットワーク装置が送信した設定情報を受信することに用いられ、前記設定情報は、1つのアップリンクデータブロックの伝送の開始位置を指示するための情報、1つのアップリンクデータブロックの伝送の終了位置を指示するための情報、1つのアップリンクデータブロックの伝送の参照信号を設定するための情報、のうちの少なくとも1つを含む受信モジュールと、
前記設定情報に基づいて、前記ネットワーク装置にアップリンクデータを送信することに用いられる送信モジュールと、を備えることを特徴とするデータを伝送する装置。
【請求項２０】
前記1つのアップリンクデータブロックの伝送の開始位置を指示するための情報は、非動的リソースにおける任意の位置で前記1つのアップリンクデータブロックの初回の伝送が開始可能であるかどうかを指示することに用いられ、前記非動的リソースは非動的スケジューリング伝送のためのリソースであることを特徴とする請求項19に記載の装置。
【請求項２１】
前記1つのアップリンクデータブロックの伝送の開始位置を指示するための情報は、非動的リソースにおいて1つのアップリンクデータブロックの初回の伝送が開始可能なリソース位置を指示することに用いられ、前記非動的リソースは非動的スケジューリング伝送のためのリソースであることを特徴とする請求項19に記載の装置。
【請求項２２】
前記アップリンクデータブロックの伝送の終了位置は、非動的リソースの周期内での最後の伝送機会であることを特徴とする請求項19〜21のいずれか1項に記載の装置。
【請求項２３】
前記非動的スケジューリングは、動的スケジューリング以外の他のスケジューリング方式であることを特徴とする請求項20又は21に記載の装置。
【請求項２４】
前記非動的スケジューリングは、半静的設定の伝送方式、半静的設定と動的トリガーの伝送方式を含むことを特徴とする請求項20、21又は23に記載の装置。